(57)【要約】【課題】  電子機器内部におけるコネクタの位置決め精度を向上させつつ、作用する応力を適切に受ける。【解決手段】  導電性材料で形成され、電池端子と弾性的に接触が可能な第１の端子部と、基板に形成された電気接点と電気的な接続が可能な第２の端子部とが形成される導電部材と、第１の端子部が第１の面から露出し、第２の端子部が第１の面とは反対側となる第２の面から露出するように導電部材が固定されるコネクタハウジングと、を有する電子機器に取り付け可能なコネクタであって、コネクタハウジングには、短辺の側の側面に電子機器に対するコネクタの位置決めが可能な位置決め部が形成され、長辺の側の側面に電子機器と当接可能な第１の当接部が形成され、第１の当接部の面積は、位置決め部の面積よりも大きいことを特徴とする構成とした。【選択図】  図１
2015095372.tif 000002
【特許請求の範囲】
【請求項１】
導電性材料で形成され、電池端子と弾性的に接触が可能な第１の端子部と、基板に形成された電気接点と電気的な接続が可能な第２の端子部とが形成される導電部材と、
前記第１の端子部が第１の面から露出し、前記第２の端子部が前記第１の面とは反対側となる第２の面から露出するように前記導電部材が固定されるコネクタハウジングと、を有する電子機器に取り付け可能なコネクタであって、
前記コネクタハウジングには、短辺の側の側面に前記電子機器に対する前記コネクタの位置決めが可能な位置決め部が形成され、長辺の側の側面に前記電子機器と当接可能な第１の当接部が形成され、
前記第１の当接部の面積は、前記位置決め部の面積よりも大きいことを特徴とするコネクタ。
【請求項２】
前記位置決め部は、前記電子機器との位置決めをする位置決め面を複数備え、前記第１の当接部の面積は、前記複数の位置決め面の何れの面積よりも大きくなるように形成されていることを特徴とする請求項１に記載のコネクタ。
【請求項３】
前記第１の当接部の長さは、前記長辺の側の側面の長さと略等しく形成されていることを特徴とする請求項１又は２に記載のコネクタ。
【請求項４】
前記位置決め部は、前記短辺の側の側面の略中央に突出形成されていることを特徴とする請求項１乃至３の何れか一項に記載のコネクタ。
【請求項５】
前記コネクタハウジングは、複数の前記導電部材が固定され、前記複数の導電部材は、前記コネクタハウジングの長辺方向に並んで形成されていることを特徴とする請求項１乃至４の何れか一項に記載のコネクタ。
【請求項６】
前記第１の当接部は、前記長辺の側の側面から突出形成され、前記第１の面側には、前記電子機器と嵌合が可能となるように傾斜面が形成されていることを特徴とする請求項１乃至５の何れか一項に記載のコネクタ。
【請求項７】
前記位置決め部は、第１の面側の面にて前記電子機器と当接することを特徴とする請求項１乃至６の何れか一項に記載のコネクタ。
【請求項８】
前記第２の端子部は、前記基板と弾性的に接触が可能であって、
前記コネクタハウジングの前記第２の面には、前記第２の端子部と前記基板とが接触する際に、前記基板と当接する第２の当接部が形成されていることを特徴とする請求項１乃至７の何れか一項に記載のコネクタ。
【請求項９】
前記第２の当接部の前記第２の面からの高さは、前記第２の面から露出する前記第２の端子部の高さよりも低いことを特徴とする請求項８に記載のコネクタ。
【請求項１０】
前記第２の端子部は、前記基板と弾性的に接触が可能であって、
前記コネクタハウジングの第２の面と前記基板の間には、前記第２の端子部を挿通させる枠体の補強板が配置され、前記補強板の厚みの寸法は、前記第２の面から露出している前記第２の端子部の高さの寸法よりも小さいことを特徴とする請求項１乃至７の何れか一項に記載のコネクタ。
【請求項１１】
電池と、
電気接点が形成される基板と、
導電性材料で形成され、前記電池の電池端子と弾性的に接触が可能な第１の端子部と、前記電気接点と電気的な接続が可能な第２の端子部とが形成される導電部材と、
前記第１の端子部が第１の面から露出し、前記第２の端子部が前記第１の面とは反対側となる第２の面から露出するように前記導電部材が固定されるコネクタハウジングと、
を有し、
前記コネクタハウジングには、短辺の側の側面に電子機器に形成された嵌合部と嵌合することで前記コネクタの位置決めが可能な位置決め部が形成され、長辺の側の側面に前記電子機器と当接可能な第１の当接部が形成され、
前記第１の当接部の面積は、前記位置決め部の面積よりも大きいことを特徴とする電子機器。
【発明の詳細な説明】
【技術分野】
【０００１】
本発明は、電池から電源を供給するコネクタと、当該コネクタを備えた電子機器に関する。
【背景技術】
【０００２】
従来、二次電池から電子機器への電源の供給は、二次電池と電気的な接続が可能な金属端子を複数まとめた電源用のコネクタを基板にはんだ付けし、当該コネクタがはんだ付けされた基板を介して、二次電池から電子機器内部に電源を供給することが一般的である。
【０００３】
また、デジタルカメラなどの電子機器の小型化に応じて、二次電池の電池端子面は小さくなっているので、電子機器内部におけるコネクタの位置決めは高い精度が求められている。
【０００４】
特許文献１には、電池収納部に位置決め用の案内部を設け、フレキシブル基板に実装された電池端子コネクタに当該案内部に嵌合する突起を形成することで、コネクタを電池収納部に位置決めする構成について記載されている。
【先行技術文献】
【特許文献】
【０００５】
【特許文献１】特開２０１０−６６７１６号公報
【発明の概要】
【発明が解決しようとする課題】
【０００６】
しかしながら、特許文献１では、突起部の電池挿入方向の面で応力を受けることになる。
【０００７】
ここで、一般的に、位置決め面の面積を小さくすることで、面公差の影響を低減し、位置決めの精度を向上させることが知られている。
【０００８】
しかし、コネクタの位置決めの精度を向上させるために、突起部の位置決め面の面積を小さくすると、応力を受ける面の面積も小さくなるので、作用する応力を適正に受けることが出来ない可能性がある。
【０００９】
本発明の目的は、電子機器内部におけるコネクタの位置決め精度を向上させつつ、作用する応力を適切に受けることが可能なコネクタと、当該コネクタを備えた電子機器を提供するものである。
【課題を解決するための手段】
【００１０】
上記目的を達成するための本発明のコネクタは、導電性材料で形成され、電池端子と弾性的に接触が可能な第１の端子部と、基板に形成された電気接点と電気的な接続が可能な第２の端子部とが形成される導電部材と、前記第１の端子部が第１の面から露出し、前記第２の端子部が前記第１の面とは反対側となる第２の面から露出するように前記導電部材が固定されるコネクタハウジングと、を有する電子機器に取り付け可能なコネクタであって、前記コネクタハウジングには、短辺の側の側面に前記電子機器に対する前記コネクタの位置決めが可能な位置決め部が形成され、長辺の側の側面に前記電子機器と当接可能な第１の当接部が形成され、前記第１の当接部の面積は、前記位置決め部の面積よりも大きいことを特徴とする。
【００１１】
また、上記目的を達成するための本発明の電子機器は、電池と、電気接点が形成される基板と、導電性材料で形成され、前記電池の電池端子と弾性的に接触が可能な第１の端子部と、前記電気接点と電気的な接続が可能な第２の端子部とが形成される導電部材と、前記第１の端子部が第１の面から露出し、前記第２の端子部が前記第１の面とは反対側となる第２の面から露出するように前記導電部材が固定されるコネクタハウジングと、を有し、前記コネクタハウジングには、短辺の側の側面に電子機器に形成された嵌合部と嵌合することで前記コネクタの位置決めが可能な位置決め部が形成され、長辺の側の側面に前記電子機器と当接可能な第１の当接部が形成され、前記第１の当接部の面積は、前記位置決め部の面積よりも大きいことを特徴とする。
【発明の効果】
【００１２】
本発明よれば、電子機器内部におけるコネクタの位置決め精度を向上させつつ、作用する応力を適切に受けることが出来る。
【図面の簡単な説明】
【００１３】
【図１】本発明の第１実施形態に係るコネクタの一例であるコネクタ３００を説明する図である。
【図２】本発明の第１実施形態に係る電子機器の一例であるデジタルカメラ１００の一部であるストロボユニットの構成を説明する図である。
【図３】本発明の第１実施形態に係る電子機器の一例であるデジタルカメラ１００を説明する図である。
【図４】本発明の第１実施形態に係る電子機器の一例であるデジタルカメラ１００の上面側の断面を示す断面図である。
【図５】本発明の第２実施形態に係るコネクタの一例であるコネクタ３１０を説明する図である。
【図６】本発明の第２実施形態に係る電子機器の一例であるデジタルカメラ１００の一部であるストロボユニットの構成を説明する図である。
【図７】本発明の第３実施形態に係るコネクタの一例であるコネクタ３２０を説明する図である。
【図８】本発明の第３実施形態に係る電子機器の一例であるデジタルカメラ１００の一部であるストロボユニットの構成を説明する図である。
【図９】本発明の第３実施形態に係る電子機器の一例であるデジタルカメラ１００を説明する図である。
【発明を実施するための形態】
【００１４】
（第１実施形態）
以下、本発明のコネクタおよび電子機器の第１実施形態としてのコネクタ３００およびデジタルカメラ（以下、カメラと称す）１００について図１〜４を参照して説明する。
【００１５】
図１は、本発明を実施したコネクタの第１実施形態であるコネクタ３００を説明する図である。図１（ａ）は、第１の面側から見たコネクタ３００の外観を示す外観斜視図である。図１（ｂ）は第２の面側から見たコネクタ３００の外観を示す外観斜視図である。
【００１６】
図１（ａ）、（ｂ）に図示するように、コネクタ３００は、導電部材３０１およびコネクタハウジング３０２から構成されている。導電部材３０１は、金属材料などの導電性材料で形成されている。コネクタハウジング３０２は、合成樹脂などの絶縁材料で形成されている。本実施形態では、３つの導電部材３０１が直線上に並んでコネクタハウジング３０２に固定されている。すなわち、３つの導電部材３０１は、コネクタハウジング３０２の第２の面３０２ｅの長辺方向に並んで形成されている。
【００１７】
図１（ａ）に図示するように、導電部材３０１の第１の端子部である端子部３０１ｃがコネクタハウジング３０２の第１の面３０２ｄから露出している。
【００１８】
図１（ｂ）に図示するように、導電部材３０１の第２の端子部である端子部３０１ａがコネクタハウジング３０２の第２の面３０２ｅから露出している。
【００１９】
図１（ａ）（ｂ）に図示するように、コネクタハウジング３０２の短辺の側の側面３０２ｆの略中央には、位置決めリブ（位置決め部）３０３が突出形成されている。位置決めリブ３０３は、後述の電池収納部２００に対するコネクタ３００の位置決めが可能である。
【００２０】
図１（ａ）、（ｂ）に図示するように、位置決めリブ３０３には、当接面３０３ａ、第１の位置決め面３０３ｂ、第２の位置決め面３０３ｃが形成されている。位置決めリブ３０３が後述する電池収納部２００に形成される凹部２００ｃと嵌合することで、第１の位置決め面３０３ｂ、第２の位置決め面３０３ｃが電池収納部２００に対するコネクタ３００の位置を決めている。すなわち、位置決めリブ３０３は位置決め面を複数備えている。
【００２１】
図１（ａ）、（ｂ）に図示するように、コネクタハウジング３０２の第２の面３０２ｅの側面３０２ｇには、後述の電池収納部２００と当接可能な第１の当接部３０４が突出形成されている。第２の面３０２ｅの側面３０２ｇに沿った当接部３０４の形成長さは、コネクタハウジング３０２の長辺と略等しい。
【００２２】
なお、第２の面３０２ｅ側に配置された電池収納部２００と、第１の当接部３０４の当接面３０４ａとが当接可能である。
【００２３】
図１（ａ）に図示するように、第１の当接部３０４の当接面３０４ａと反対側には、傾斜面３０４ｂが形成されている。
【００２４】
ここで、第１の位置決め面３０３ｂおよび第２の位置決め面３０３ｃの面積よりも、第１の当接部３０４の当接面３０４ａの面積が大きくなるように、第１の当接部３０４が形成されている。
【００２５】
図１（ｂ）に図示するように、コネクタハウジング３０２の第２の面３０２ｅの四隅には第２の当接部３０２ａがそれぞれ突出形成されている。
【００２６】
図１（ｂ）に図示するように、第２の当接部３０２ａの第２の面３０２ｅからの突出高さは、端子部３０１ａの第２の面３０２ｅからの突出高さより低い。
【００２７】
位置決めリブ３０３と第１の当接部３０４、第２の当接部３０２ａは、コネクタハウジング３０２に一体的に形成されている。
【００２８】
図１（ｃ）は導電部材３０１の外観を示す外観斜視図である。
【００２９】
図１（ｃ）に図示するように、導電部材３０１には、固定部３０１ｄが形成されている。固定部３０１ｄがコネクタハウジング３０２に固定されることで、複数（３つ）の導電部材３０１はコネクタハウジング３０２に固定される。固定部３０１ｄの一方側に端子部３０１ｃが形成され、固定部３０１ｄの他方側に端子部３０１ａが形成される。
【００３０】
図１（ｃ）に図示するように、固定部３０１ｄと端子部３０１ｃとの間には、屈曲部（第１の屈曲部）３０１ｅが形成されている。また、固定部３０１ｄと端子部３０１ａとの間には、屈曲部（第２の屈曲部）３０１ｆが形成されている。また、屈曲部３０１ｆと端子部３０１ａとの間には可動部３０１ｂが形成されている。
【００３１】
図１（ｃ）において、端子部３０１ａに対して上から下に向かう力が作用すると、屈曲部３０１ｆより端子部３０１ａ側の可動部３０１ｂで弾性変形するか、屈曲部３０１ｆが弾性変形する。端子部３０１ｃに対して下から上に向かう力が作用するにも、端子部３０１ａに対して上から下に向かう力が作用するにも、固定部３０１ｄが形成される屈曲部３０１ｅと屈曲部３０１ｆとの間の領域はほとんど弾性変形しない。
【００３２】
また、後述するように、端子部３０１ａはストロボ基板４０３に半田付けされる。図１（ｃ）において、端子部３０１ａに対して、半田付けされる面と平行な方向に力が作用すると、屈曲部３０１ｆと屈曲部３０１ｇとの間の領域がねじられるように弾性変形する。端子部３０１ａに対して、半田付けされる面と平行な方向に力が作用しても、固定部３０１ｄが形成される屈曲部３０１ｅと屈曲部３０１ｇとの間の領域はほとんど弾性変形しない。
【００３３】
したがって、端子部３０１ｃまたは端子部３０１ａに力が作用しても、導電部材３０１がコネクタハウジング３０２から脱落することはない。
【００３４】
図２は、本発明を実施した電子機器の第１実施形態であるカメラ１００の一部であるストロボユニットの構成を説明する図である。
【００３５】
図２（ａ）は、コネクタ３００が実装されたストロボ基板４０３を、上面側から見た外観を示す外観斜視図である。図２（ｂ）は、コネクタ３００が実装されたストロボ基板４０３を、下面側から見た外観を示す外観斜視図である。
【００３６】
図２（ａ）、（ｂ）に図示するように、ストロボ基板４０３は、剛性を有するリジット基板である。
【００３７】
コネクタ３００の端子部３０１ａが、ストロボ基板４０３の下面に露出した不図示の銅箔パターンと半田付けされることによって、コネクタ３００とストロボ基板４０３は電気的に接続される。端子部３０１ａが第２の当接部３０２ａより第２の面３０２ｅから突出しているので、コネクタ３００をストロボ基板４０３に半田付けした状態では、第２の当接部３０２ａはストロボ基板４０３に当接していない。なお、本実施形態では、ストロボ基板４０３に端子部３０２ａを面実装するような構成であるが、これに限定されるものではない。例えば、コネクタ３００の端子部をピン形状に形成するとともに、ストロボ基板４０３に開口部を形成し、該開口部にピン形状の端子部を挿通させて、ストロボ基板４０３の上面にて半田付けする構成であっても良い。
【００３８】
図２（ｂ）に図示するように、ストロボ基板４０３の下面には接続コネクタ４０６が実装されている。
【００３９】
図２（ｃ）は、カメラ１００の筐体となる電池収納部２００の上面にストロボユニットを取り付ける様子を説明する分解斜視図である。なお、ストロボユニットとは、ストロボ基板４０３にコネクタ３００、発光部４０４、メインコンデンサ４０５などを接続したユニットである。コネクタ３００、発光部４０４、メインコンデンサ４０５など一体化された状態でストロボユニットは電池収納部２００の上面に取り付けられる。
【００４０】
図２（ｃ）に図示するように、フレキシブル基板４００の一方が接続コネクタ４０６に接続され、フレキシブル基板４００の他方がメイン基板４０２に実装された接続コネクタ４０１と接続される。したがって、ストロボ基板４０３とメイン基板４０２とが電気的に接続される。
【００４１】
図２（ｃ）に図示するように、電池収納部２００に形成されたコネクタ収納部２００ａにコネクタ３００が取り付けられる。コネクタ収納部２００ａには、凹部（嵌合部）２００ｃが形成されている。
【００４２】
図２（ｃ）に図示するように、ストロボユニットを電池収納部２００の上面に取り付ける際には、コネクタハウジング３０２に形成される位置決めリブ３０３が、コネクタ収納部２００ａに形成される凹部２００ｃと嵌合する。
【００４３】
図２（ｄ）は、電池収納部２００に形成されるコネクタ収納部２００ａを説明する図である。
【００４４】
図２（ｄ）に図示するように、コネクタ収納部２００ａの長辺側には、係合爪部２００ｂが形成されている。コネクタ収納部２００ａの短辺の略中央には、凹部２００ｃが形成されている。
【００４５】
図２（ｄ）に図示するように、凹部２００ｃには、第１の面２００ｃ１、第２の面２００ｃ２、第３の面２００ｃ３が形成されている。
【００４６】
コネクタ収納部２００ａにコネクタ３００を取り付けたとき、位置決めリブ３０３の第１の位置決め面３０３ｂが凹部２００ｃの第２の面２００ｃ２に当接することで、図２（ｃ）中のＺ方向における、電池収納部２００とコネクタ３００との位置決めがされる。
【００４７】
コネクタ収納部２００ａにコネクタ３００を取り付けたとき、位置決めリブ３０３の第２の位置決め面３０３ｃが凹部２００ｃの第３の面２００ｃ３に当接することで、図２（ｃ）中のＸ方向における、コネクタ３００と電池収納部２００との位置決めがされる。電池収納部２００にストロボユニットを取り付ける際には、ストロボ基板４０３と電池収納部２００との間でも位置決めが行われる。コネクタ３００とストロボ基板４０３と間に実装ずれがあると、ストロボ基板４０３と電池収納部２００との位置決めと電池収納部２００とコネクタ３００との位置決めが一致しなくなる。本実施形態では、図１（ｃ）にて説明したように、端子部３０１ａから屈曲部３０１ｆまでの領域が固定部３０１ｄに対して弾性変形するので、コネクタ３００の実装ずれがあっても、２つの位置決めのずれを吸収できる。
【００４８】
図３は、本発明を実施した電子機器の第１実施形態であるカメラ１００を説明する図であって、フロントカバー１０１およびトップカバー１０２を取り外した状態を示した分解斜視図である。
【００４９】
図３に図示するように、電池収納部２００の上面側には、図２にて説明したストロボユニットが取り付けられている。
【００５０】
電池収納部２００にストロボユニットを取り付けると、コネクタハウジング３０２の第２の当接部３０２ａがストロボ基板４０３の下面側と当接する。これによって、コネクタハウジング３０２とストロボ基板４０３とは適切な間隔を維持することができる。
【００５１】
図３に図示するように、カメラ１００の下面には、電池蓋２０３が取り付けられている。カメラ１００の電源となる電池２０１は、電池収納部２００の開口部２０４から矢印Ｇの方向に挿入される。
【００５２】
図４は、本発明を実施した電子機器の第１実施形態であるカメラ１００の上面側の断面を示す断面図である。図４（ａ）は、図３に図示したカメラ１００のＡ−Ａ断面を示す断面図である。図４（ｂ）は、図３に図示したカメラ１００のＢ−Ｂ断面を示す断面図である。
【００５３】
図４（ａ）に図示するように、コネクタ収納部２００ａにコネクタ３００を取り付けられると、位置決めリブ３０３の第２の位置決め面３０３ｃが凹部２００ｃの第３の面２００ｃ３に当接する。これによって、コネクタ３００は、電池収納部２００に対して図４（ａ）中のＸ方向に位置決めされる。
【００５４】
電池収納部２００に電池２０１が挿入されているときには、図４（ａ）に図示するように、位置決めリブ３０３の当接面３０３ａと凹部２００ｃの第１の面２００ｃ１との間には、わずかな隙間ができる。電池収納部２００から電池２０１を排出すると、当接面３０３ａが第１の面２００ｃ１に当接する。
【００５５】
電池収納部２００に電池２０１が挿入されているときには、図４（ｂ）に図示するように、コネクタハウジング３０２の第１の当接部３０４が係合爪部２００ｂの先端下面に当接する。電池収納部２００から電池２０１を排出すると、第１の当接部３０４と係合爪部２００ｂの先端下面との間には、わずかな隙間ができる。
【００５６】
すなわち、電池収納部２００への電池２０１の挿抜によって、コネクタ３００は図中のＹ方向にわずかに移動する。
【００５７】
電池収納部２００にストロボユニットを取り付ける際には、コネクタハウジング３０２に形成される位置決めリブ３０３をコネクタ収納部２００ａに形成された凹部２００ｃに嵌合させ、図中のＨ方向からストロボユニットを電池収納部２００に取り付ける。したがって、位置決めリブ３０３が凹部２００ｃを摺動しながらストロボユニットを電池収納部２００に取り付けられる。このとき、コネクタハウジング３０２に形成される第１の当接部３０４の傾斜面３０４ｂが、コネクタ収納部２００ａに形成される係合爪部２００ｂの先端上面に当接する。ストロボユニットを電池収納部２００に押し込むと、係合爪部２００ｂおよび第１の当接部３０４が弾性変形して、電池収納部２００にコネクタ３００が嵌合され、図４（ｂ）に図示する状態となる。
【００５８】
図４（ａ）、（ｂ）に図示するように、電池２０１に形成された電池端子２０２が端子部３０１ｃに押し当てられる。端子部３０１ｃは弾性変形した状態で、電池端子２０２に接触する。図４（ｂ）に図示するように、電池収納部２００に電池２０１が挿入された状態では、コネクタ収納部２００ａに形成される係合爪部２００ｂ先端下面がコネクタハウジング３０２の第１の当接部３０４の当接面３０４ａに当接する。
【００５９】
上述したように、第１の位置決め面３０３ｂまたは第２の位置決め面３０３ｃの面積よりも、第１の当接部３０４の当接面３０４ａの面積が大きくなるように、第１の当接部３０４を形成している。電池収納部２００に電池２０１が挿入されると、第１の当接部３０４の当接面３０４ａが電池２０１の挿入方向（矢印Ｇの方向）から作用する応力を大きな面積で適切に受けることが出来る。
【００６０】
本実施形態では、コネクタ３００の側面３０２ｆの寸法に対して、位置決めリブ３０３の寸法を出来るだけ小さくしている。また、位置決めリブ３０３はコネクタハウジング３０２に一体的に形成されている。したがって、面公差の影響が抑制されるため、コネクタ３００は電池収納部２００に対して高い位置決め精度で位置決めができる。
【００６１】
以上説明したように、本実施形態のコネクタ３００は、カメラ１００におけるコネクタ３００の位置決め精度を向上させつつ、コネクタ３００に作用する応力を適切に受けることが出来る。
【００６２】
なお、本実施形態では、第１の当接部３０４の長さが、コネクタハウジング３０２の側面３０２ｇの長辺の長さと略等しい構成であるが、これに限定されるものではない。例えば、コネクタハウジング３０２の側面３０２ｇの長辺の長さよりも、第１の当接部３０４の長さが短いような構成であっても良い。
【００６３】
また、本実施形態においてコネクタ３００は、３つの導電部材３０１とコネクタハウジング３０２から形成されるが、これに限定されるものではない。
【００６４】
例えば、導電部材３０１が３つよりも多く設けられているような構成でもあっても良い。この場合、複数の導電部材３０１が、コネクタハウジング３０２の長辺と略平行な方向に並んで形成されているような構成とする。
【００６５】
（第２実施形態）
本発明のコネクタおよび電子機器の第２の実施形態としてのコネクタ３１０およびデジタルカメラ（以下、カメラと称す）１００について図５、６を参照して説明する。なお、前述の第１実施形態と同様の構成についての説明は省略する。
【００６６】
図５は、本発明を実施したコネクタの第２実施形態であるコネクタ３１０を説明する図である。図５（ａ）は、第１の面側から見たコネクタ３１０の外観を示す外観斜視図である。図５（ｂ）は第２の面側から見たコネクタ３１０の外観を示す外観斜視図である。
【００６７】
図５（ａ）、（ｂ）に図示するように、コネクタ３１０は、導電部材３１１およびコネクタハウジング３１２から構成されている。導電部材３１１は、金属材料などの導電性材料で形成されている。コネクタハウジング３１２は、合成樹脂などの絶縁材料で形成されている。本実施形態では、３つの導電部材３１１が直線上に並んでコネクタハウジング３１２に固定されている。すなわち、３つの導電部材３１１は、コネクタハウジング３１２の第２の面３１２ｅの長辺方向に並んで形成されている。
【００６８】
図５（ａ）に図示するように、導電部材３１１の第１の端子部である端子部３１１ｃがコネクタハウジング３１２の第１の面３１２ｄから露出している。
【００６９】
図５（ｂ）に図示するように、導電部材３１１の第２の端子部である端子部３１１ａがコネクタハウジング３１２の第２の面３１２ｅから露出している。
【００７０】
図５（ａ）、（ｂ）に図示するように、コネクタハウジング３１２の短辺の側の側面３１２ｆの略中央には、位置決めリブ（位置決め部）３１３が突出形成されている。
【００７１】
図５（ａ）、（ｂ）に図示するように、位置決めリブ３１３には、当接面３１３ａ、第１の位置決め面３１３ｂ、第２の位置決め面３１３ｃが形成されている。すなわち、位置決めリブ３１３は位置決め面を複数備えている。
【００７２】
位置決めリブ３１３が、第１実施形態で前述した電池収納部２００に形成されている凹部２００ｃと嵌合することで、第１の位置決め面３１３ｂ、第２の位置決め面３１３ｃが電池収納部２００に対するコネクタ３１０の位置を決めている。
【００７３】
図５（ａ）、（ｂ）に図示するように、コネクタハウジング３１２の第２の面３１２ｅの側面３１２ｇには、前述の第１実施形態と同様に、電池収納部２００と当接可能な第１の当接部３１４が突出形成されている。本実施形態でも、第２の面３１２ｅの側面３１２ｇに沿った当接部３１４の形成長さは、コネクタハウジング３１２の長辺と略等しい。
【００７４】
なお、本実施形態においても、第１の位置決め面３１３ｂおよび第２の位置決め面３１３ｃの面積よりも、第１の当接部３１４の当接面３１４ａの面積が大きくなるように、第１の当接部３１４が形成されている。
【００７５】
図５（ｂ）に図示するように、コネクタハウジング３１２の第２の面３１２ｅの四隅には第２の当接部３１２ａがそれぞれ突出形成されている。
【００７６】
図５（ｂ）に図示するように、第２の当接部３１２ａの第２の面３１２ｅからの突出高さが、端子部３１１ａの第２の面３１２ｅからの突出高さより低い。
【００７７】
以上説明した、位置決めリブ３１３と第１の当接部３１４、第２の当接部３１２ａは、コネクタハウジング３１２に一体的に形成されている。
【００７８】
図５（ｃ）は導電部材３１１の外観を示す外観斜視図である。
【００７９】
図５（ｃ）に図示するように、導電部材３１１には、固定部３１１ｄが形成されている。固定部３１１ｄがコネクタハウジング３１２に固定されることで、導電部材３１１はコネクタハウジング３１２に固定される。固定部３１１ｄに対して一方側に端子部３１１ｃが形成され、固定部３１１ｄに対して他方側に端子部３１１ａが形成される。
【００８０】
図５（ｃ）に図示するように、固定部３１１ｄと端子部３１１ｃとの間には、屈曲部（第１の屈曲部）３１１ｅが形成されている。また、固定部３１１ｄと端子部３１１ａとの間には、屈曲部（第２の屈曲部）３１１ｆが形成されている。
【００８１】
図５（ｃ）において、端子部３１１ｃ対して下から上に向かう力が作用すると、屈曲部３１１ｅより端子部３１１ｃ側で弾性変形するか、屈曲部３１１ｅが弾性変形する。端子部３１１ａに対して上から下に向かう力が作用すると、屈曲部３１１ｆより端子部３１１ａ側で弾性変形するか、屈曲部３１１ｆが弾性変形する。
【００８２】
端子部３１１ｃに対して下から上に向かう力が作用するにも、端子部３１１ａに対して上から下に向かう力が作用するにも、固定部３１１ｄが形成される屈曲部３１１ｅと屈曲部３１１ｆとの間の領域はほとんど弾性変形しない。
【００８３】
したがって、端子部３１１ｃまたは端子部３１１ａに力が作用しても、導電部材３１１がコネクタハウジング３１２から脱落することはない。
【００８４】
図６は、本発明を実施した電子機器の第２実施形態であるカメラ１００の一部であるストロボユニットの構成を説明する図である。
【００８５】
図６（ａ）は、コネクタ３１０と電気的に接続可能なストロボ基板４１３を、上面から見た外観を示す外観斜視図である。図６（ｂ）は、コネクタ３１０と電気的に接続可能なストロボ基板４１３を、下面から見た外観を示す外観斜視図である。
【００８６】
図６（ａ）、（ｂ）に図示するように、ストロボ基板４１３は剛性を有するリジット基板である。
【００８７】
図６（ｂ）に図示するように、ストロボ基板４１３の下面には、銅箔パターンを露出させた電気接点４１８が形成されている。
【００８８】
図６（ｂ）に図示するように、ストロボ基板４１３の下面には接続コネクタ４１６が実装されている。
【００８９】
前述したコネクタ３１０の端子部３１１ａと、図６（ｂ）に図示したストロボ基板４１３の電気接点４１８とが弾性的に接触することで、コネクタ３１０とストロボ基板４１３は電気的に接続されている。
【００９０】
図６（ｃ）は、カメラ１００の筐体となる電池収納部２００の上面にストロボユニットを取り付ける様子を説明する分解斜視図である。
【００９１】
図６（ｃ）に図示するように、フレキシブル基板４００の一方が接続コネクタ４１６に接続され、フレキシブル基板４００の他方がメイン基板４０２に実装された接続コネクタ４０１と接続される。したがって、ストロボ基板４１３とメイン基板４０２とが電気的に接続される。
【００９２】
図６（ｃ）に図示するように、本実施形態でも、コネクタ収納部２００ａには、凹部（嵌合部）２００ｃが形成されている。
【００９３】
図６（ｃ）に図示するように、コネクタ３１０をコネクタ収納部２００ａに取り付ける際には、コネクタハウジング３１２に形成される位置決めリブ３１３が、コネクタ収納部２００ａに形成される凹部２００ｃと嵌合する。
【００９４】
コネクタ収納部２００ａにコネクタ３１０を取り付けたとき、位置決めリブ３１３の第１の位置決め面３１３ｂが凹部２００ｃの第２の面２００ｃ２に当接することで、図６（ｃ）中のＺ方向における、電池収納部２００とコネクタ３１０との位置決めがされる。
【００９５】
コネクタ収納部２００ａにコネクタ３１０を取り付けたとき、位置決めリブ３１３の第２の位置決め面３１３ｃが凹部２００ｃの第３の面２００ｃ３に当接することで、図６（ｃ）中のＸ方向における、コネクタ３１０と電池収納部２００との位置決めがされる。
【００９６】
本実施形態では、コネクタ３１０をコネクタ収納部２００ａに取り付けた後、ストロボユニットが電池収納部２００の上面に取り付けられる。
【００９７】
なお、ストロボユニットとは、ストロボ基板４１３に発光部４０４、メインコンデンサ４０５などを接続したユニットである。
【００９８】
ストロボユニットを電池収納部２００の上面に取り付けると、ストロボ基板４１３の下面がコネクタ３１０の第２の当接部３１２ａに当接する。このとき、コネクタ収納部２００ａに取り付けたコネクタ３１０の端子部３１１ａがストロボ基板４１３の下面に形成された電気接点４１８に接触する。
【００９９】
前述したように、第２の当接部３１２ａの第２の面３１２ｅからの突出高さが、端子部３１１ａの第２の面３１２ｅからの突出高さより低い。したがって、電池収納部２００にストロボユニットを取り付けると、端子部３１１ａが、ストロボ基板４１３の電気接点４１８に押し当てられる。すなわち、ストロボ基板４１３は端子部３１１ａの復元力を上回る力で第２の当接部３１２ａに押し当てられ、端子部３１１ａは弾性変形した状態で、電気接点４１８に接触する。
【０１００】
本実施形態では、第２の当接部３１２ａにストロボ基板４１３の下面を当接させた際に、端子部３１１ａとストロボ基板４１３の電気接点４１８との接触圧が適切となるように、第２の当接部３１２ａの第２の面３１２ｅからの突出高さが設定されている。ストロボ基板４１３の下面が第２の当接部３１２ａに当接することで、図６（ｃ）中のＹ方向における、ストロボ基板４１３の位置決めがされる。
【０１０１】
また、電池収納部２００にストロボユニットを取り付ける際には、ストロボ基板４１３と電池収納部２００との間での位置決めも行われる。
【０１０２】
本実施形態では、コネクタ３１０と電池収納部２００との間で取り付け誤差があり、ストロボ基板４１３と電池収納部２００との間にも取り付け誤差があるので、コネクタ３１０とストロボ基板４１３と間には、２つの取り付け誤差が累積されることになる。本実施形態では、電気接点４１８の面積を端子部３１１ａの接触面積よりも大きく形成している。これによって、コネクタ３１０とストロボ基板４１３と間の取り付け誤差を吸収している。
【０１０３】
なお、図５（ｃ）にて説明したように、ストロボ基板４１３から端子部３１１ａに対して上から下に向かう応力が作用する場合、屈曲部３１１ｆよりも端子部３１１ａ側の領域が弾性変形する。したがって、ストロボ基板４１３からの応力がコネクタ３１０の全体や、ストロボ基板４１３に作用することはない。
【０１０４】
以上の構成によって、ストロボ基板４１３の電気接点４１８と端子部３１１ａとが適正な接触圧で接触しつつ、ストロボ基板４１３は、コネクタ３１０に対して高い位置決め精度で位置決めができる。
【０１０５】
前述の第１実施形態と同様に、電池収納部２００に電池２０１が挿入されると、コネクタ収納部２００ａに形成される係合爪部２００ｂ先端下面がコネクタハウジング３１２の第１の当接部３１４の当接面３１４ａに当接する。したがって、電池収納部２００への電池２０１の挿抜によって、コネクタ３１０は図６（ｃ）中のＹ方向にわずかに移動する。
【０１０６】
なお、本実施形態においても、第１の位置決め面３１３ｂまたは第２の位置決め面３１３ｃの面積よりも、第１の当接部３１４の当接面３１４ａの面積が大きくなるように、第１の当接部３１４を形成している。したがって、電池収納部２００に電池２０１が挿入されると、第１の当接部３１４の当接面３１４ａが電池２０１の挿入方向から作用する応力を大きな面積で適切に受けることが出来る。
【０１０７】
そして、コネクタハウジング３１２に一体的に形成されている位置決めリブ３１３は、コネクタ３１０の側面３１２ｆの寸法に対して出来るだけ小さい寸法で形成されている。したがって、面公差の影響が抑制されるため、コネクタ３１０は電池収納部２００に対して高い位置決め精度で位置決めができる。
【０１０８】
以上説明したように、本実施形態のコネクタ３１０も、カメラ１００におけるコネクタ３１０の位置決め精度を向上させつつ、コネクタ３１０に作用する応力を適切に受けることが出来る。
【０１０９】
また、本実施形他のコネクタ３１０は、ストロボ基板４１３の電気接点４１８に端子部３１１ａが弾性的に接触するので、コネクタ３１０とストロボ基板４１３と間の取り付け誤差を吸収することができる。これによって、コネクタ３１０やストロボ基板４１３に余計な応力が作用することを抑制することが出来る。
【０１１０】
なお、本実施形態において、端子部３１１ａと弾性的に接触する基板は、リジット基板であるがこれに限定されるものではない。例えば、フレキシブル基板や一部がリジットに形成されたフレキシブル基板と端子部３１１ａとが弾性的に接触するような構成であっても良い。
【０１１１】
（第３実施形態）
本発明のコネクタおよび電子機器の第３の実施形態としてのコネクタ３２０およびデジタルカメラ（以下、カメラと称す）１００について図７〜９を参照して説明する。なお、前述の第１実施形態と同様の構成についての説明は省略する。
【０１１２】
図７は、本発明を実施したコネクタの第３実施形態であるコネクタ３２０を説明する図である。図７（ａ）は、第１の面側から見たコネクタ３２０の外観を示す外観斜視図である。図７（ｂ）は第１の面とは反対側の面側から見たコネクタ３２０の外観を示す外観斜視図である。
【０１１３】
図７（ａ）、（ｂ）に図示するように、コネクタ３２０は、導電部材３２１およびコネクタハウジング３２２から構成されている。導電部材３２１は、金属材料などの導電性材料で形成されている。コネクタハウジング３２２は、合成樹脂などの絶縁材料で形成されている。本実施形態では、３つの導電部材３２１が直線上に並んでコネクタハウジング３２２に固定されている。すなわち、３つの導電部材３２１は、コネクタハウジング３２２の第２の面３２２ｅの長辺方向に並んで形成されている。
【０１１４】
図７（ａ）に図示するように、導電部材３２１の第１の端子部である端子部３２１ｃがコネクタハウジング３２２の第１の面３２２ｄから露出している。
【０１１５】
図７（ｂ）に図示するように、導電部材３２１の第２の端子部である端子部３２１ａがコネクタハウジング３２２の第２の面３２２ｅから露出している。また、導電部材３２１の第３の端子部である端子部３２２ｂがコネクタハウジング３２２の第２の面３２２ｅから露出している。
【０１１６】
図７（ａ）、（ｂ）に図示するように、コネクタハウジング３２２の短辺の側の側面３２２ｆの略中央には、位置決めリブ（位置決め部）３２３が突出形成されている。
【０１１７】
図７（ａ）、（ｂ）に図示するように、位置決めリブ３２３には、当接面３２３ａ、第１の位置決め面３２３ｂ、第２の位置決め面３２３ｃが形成されている。すなわち、位置決めリブ３２３は位置決め面を複数備えている。
【０１１８】
位置決めリブ３２３が、第１実施形態で前述した電池収納部２００に形成されている凹部２００ｃと嵌合することで、第１の位置決め面３２３ｂ、第２の位置決め面３２３ｃが電池収納部２００に対するコネクタ３１０の位置を決めている。
【０１１９】
図７（ａ）、（ｂ）に図示するように、コネクタハウジング３２２の第２の面３２２ｅの側面３２２ｇには、前述の第１実施形態と同様に当接部３２４が突出形成されている。
【０１２０】
なお、本実施形態においても、第１の位置決め面３２３ｂおよび第２の位置決め面３２３ｃのうちのいずれの面の面積よりも、当接部３２４の当接面３２４ａの面積が大きくなるように、当接部３２４が形成されている。
【０１２１】
以上説明した、位置決めリブ３２３と当接部３２４は、コネクタハウジング３２２に一体的に形成されている。
【０１２２】
図７（ｃ）は導電部材３２１の外観を示す外観斜視図である。
【０１２３】
図７（ｃ）に図示するように、導電部材３２１には、固定部３２１ｄが形成されている。固定部３２１ｄがコネクタハウジング３２２に固定されることで、導電部材３２１はコネクタハウジング３２２に固定される。固定部３２１ｄに対して一方側に端子部３２１ｃが形成され、固定部３２１ｄに対して他方側に端子部３２１ａ、３２１ｂが形成される。
【０１２４】
図７（ｃ）に図示するように、固定部３２１ｄと端子部３２１ｃとの間には、屈曲部（第１の屈曲部）３２１ｅが形成され、固定部３２１ｄと端子部３２１ａとの間には、屈曲部（第２の屈曲部）３２１ｆが形成されている。
【０１２５】
図７（ｃ）に図示するように、導電部材３２１は、屈曲部３２１ｆに対して固定部３２１ｄの他方側において、端子部３２１ａと３２１ｂが二股に分岐して形成されている。
【０１２６】
図７（ｃ）において、端子部３２１ｃ対して下から上に向かう力が作用すると、屈曲部３２１ｅより端子部３２１ｃ側で弾性変形するか、屈曲部３２１ｅが弾性変形する。端子部３２１ａに対して上から下に向かう力が作用すると、屈曲部３２１ｆより端子部３２１ａ側で弾性変形するか、屈曲部３２１ｆが弾性変形する。
【０１２７】
端子部３２１ｃに対して下から上に向かう力が作用するにも、端子部３２１ａに対して上から下に向かう力が作用するにも、屈曲部３２１ｅから屈曲部３２１ｆまでの領域はほとんど弾性変形しない。したがって、端子部３２１ｂまたは端子部３２１ｃに力が作用しても、導電部材３２１がコネクタハウジング３２２から脱落することはない。
【０１２８】
図８は、本発明を実施した電子機器の第３実施形態であるカメラ１００の一部であるストロボユニットの構成を説明する図である。図８（ａ）は、コネクタ３２０が実装されたフレキシブル基板４２０の外観を示す外観斜視図である。図８（ｂ）は、コネクタ３２０が接続されたフレキシブル基板４２０とストロボ基板４２３とを接続する様子を説明する図である。
【０１２９】
図８（ａ）、（ｂ）に図示するように、ストロボ基板４２３の通信コネクタ４２６に接続させるために、フレキシブル基板４２０は一部が折り返されて形成されている。
【０１３０】
図８（ａ）に図示するように、フレキシブル基板４２０の下面に第１の補強板５００が貼り付けられている。また、フレキシブル基板４２０の上面に第２の補強板５０１が貼り付けられている。すなわち、フレキシブル基板４２０は、第１の補強板５００と第２の補強板５０１との間に挟み込まれている。
【０１３１】
本実施形態では、後述の図８（ｃ）で説明するように、コネクタ３２０の端子部３２１ａと端子部３２１ｂとを挿通するために、第１の補強板５００と第２の補強板５０１は枠体形状に形成されている。
【０１３２】
なお、本実施形態では、第１の補強板５００と第２の補強板５０１の形状を枠体形状状とするような構成であるがこれに限定されるものではない。例えば、第１の補強板５００に、端子部３２１ａと端子部３２１ｂを挿通させる開口部を形成し、第２の補強板５０１に端子部３２１ａを挿通させる開口部を形成するような構成であっても良い。
【０１３３】
図８（ａ）に図示するように、第１の補強板５００の下面をコネクタ３２０の第２の面３２２ｅに当接させて、コネクタ３２０の端子部３２１ｂをフレキシブル基板４２０に半田付けする。このとき、コネクタ３２０の端子部３２１ｂは、フレキシブル基板４２０に形成された開口部４２０ｃを挿通しフレキシブル基板４２０から露出する。
【０１３４】
図８（ａ）、（ｂ）に図示するように、第２の補強板５０１は、ストロボ基板４２３の下面と当接する。コネクタ３２０が第２の補強板５０１と当接すると、コネクタ３２０の端子部３２１ａは、フレキシブル基板４２０に形成された開口部４２０ｃを挿通し、フレキシブル基板４２０から露出する。
【０１３５】
図８（ｂ）に図示するように、ストロボ基板４２３は剛性を有するリジット基板である。
【０１３６】
図８（ｂ）に図示するように、ストロボ基板４２３の上面には、ストロボ基板４２３とメイン基板４０２との通信に用いられる接続コネクタ４２６が実装されている。ストロボ基板４２３には発光部４０４が接続される。
【０１３７】
図８（ｂ）に図示するように、フレキシブル基板４２０の一方が接続コネクタ４２６に接続される。そして、フレキシブル基板４２０の他方が、図９に図示したメイン基板４０２に実装された接続コネクタ４０１と接続される。ストロボ基板４２３とメイン基板４０２との通信は、フレキシブル基板４２０を介して行われる。
【０１３８】
図８（ｃ）は、図８（ｂ）に図示したストロボユニットのＣ−Ｃ断面を示す断面図であって、第１実施形態で前述した電池収納部２００にストロボユニットを取り付けた状態を示している。
【０１３９】
図８（ｃ）に図示するように、ストロボ基板４２３の下面には、電気接点４２８が形成されている。電気接点４２８はストロボ基板４２３の銅箔パターンを露出させることで形成されている。
【０１４０】
図８（ｃ）に図示するように、フレキシブル基板４２０の下面は、第１の補強板５００に当接した状態で、端子部３２１ｂが半田付けされる。すなわち、フレキシブル基板４２０の下面を第１の補強板５００に当接させることで、図８（ｃ）中のＹ方向におけるコネクタ３２０とフレキシブル基板４２０との位置決めを行っている。
【０１４１】
本実施形態では、フレキシブル基板４２０にコネクタ３２０を半田付けした後、コネクタ３２０をコネクタ収納部２００ａに取り付ける。そして、コネクタ３２０をコネクタ収納部２００ａに取り付けた後、ストロボ基板４２３がフレキシブル基板４２０に重なるように、電池収納部２００の上面に取り付けられる。
【０１４２】
ストロボ基板４２３を電池収納部２００の上面に取り付けると、ストロボ基板４２３の下面が第２の補強板５０１に当接する。
【０１４３】
図８（ｃ）に図示するように、端子部３２１ａの第２の面３２２ｅからの高さ寸法よりも、第１の補強板５００の厚み寸法と、フレキシブル基板４２０の厚み寸法と、第２の補強板５０１の厚み寸法の合計を小さくする。これによって、ストロボ基板４２３の下面を第２の補強板５０１に当接させると、フレキシブル基板４２０の開口部４２０ｃから露出した端子部３２１ａが、ストロボ基板４２３の電気接点４２８に押し当てられる。
【０１４４】
したがって、ストロボ基板４２３は端子部３２１ａの復元力を上回る力で第２の補強板５０１に押し当てられ、端子部３２１ａは弾性変形した状態で電気接点４２８に接触する。第２の補強板５０１にストロボ基板４２３の下面を当接させた際に、端子部３２１ａとストロボ基板４２３の電気接点４２８との接触圧が適切となるように、フレキシブル基板４２０、第１の補強板５００および第２の補強板５０１の厚み寸法が設定されている。
【０１４５】
以上説明したように、コネクタ３２０の端子部３２１ｂはフレキシブル基板４２０を介することなくストロボ基板４２３と電気的に接続される。また、それとは別に、端子部３２１ａはフレキシブル基板４２０と半田付けによって電気的に接続される。
【０１４６】
したがって、本実施形態のコネクタ３２０は、各端子部がそれぞれの基板と直接接続されるので、カメラ１００の内部へと２つの系統に分けて電力を供給した場合であっても、電気的な損失を抑制することが出来る。
【０１４７】
図９は、本発明を実施した電子機器の第３実施形態であるカメラ１００を説明する図であって、カメラ１００の筐体となる電池収納部２００の上面にストロボユニットを取り付ける様子を説明する分解斜視図である。
【０１４８】
図９に図示するように、本実施形態でも、コネクタ収納部２００ａには、凹部（嵌合部）２００ｃが形成されている。
【０１４９】
図９に図示するように、ストロボ基板４２３を電池収納部２００の上面に取り付ける際には、コネクタハウジング３２２に形成される位置決めリブ３２３が、コネクタ収納部２００ａに形成される凹部２００ｃと嵌合する。
【０１５０】
なお、本実施形態でも第１実施形態でと同様に、図２（ｄ）に図示した電池収納部２００のコネクタ収納部２００ａにコネクタ３２０が取り付けられる。
【０１５１】
コネクタ収納部２００ａにコネクタ３２０を取り付けたとき、位置決めリブ３２３の第１の位置決め面３２３ｂが、凹部２００ｃの第２の面２００ｃ２に当接することで、図９中のＺ方向における電池収納部２００とコネクタ３２０との位置決めがされる。
【０１５２】
コネクタ収納部２００ａにコネクタ３１０を取り付けたとき、位置決めリブ３２３の第２の位置決め面３１３ｃが、凹部２００ｃの第３の面２００ｃ３に当接することで、図９中のＸ方向におけるコネクタ３２０と電池収納部２００との位置決めがされる。
【０１５３】
また、電池収納部２００にストロボ基板４２３を取り付ける際には、ストロボ基板４２３と電池収納部２００との間での位置決めも行われる。
【０１５４】
本実施形態では、コネクタ３２０と電池収納部２００との間で取り付け誤差があり、ストロボ基板４２３と電池収納部２００との間にも取り付け誤差があるので、コネクタ３２０とストロボ基板４２３と間には、２つの取り付け誤差が累積されることになる。本実施形態では、電気接点４２８の面積を端子部３２１ａの接触面積よりも大きく形成している。これによって、コネクタ３２０とストロボ基板４２３と間の取り付け誤差を吸収している。
【０１５５】
なお、前述の第２実施形態と同様に、本実施形態でも、ストロボ基板４２３から端子部３２１ａに対して上から下に向かう応力が作用する場合、屈曲部３２１ｆよりも端子部３２１ａ側の領域が弾性変形する。したがって、ストロボ基板４２３からの応力がコネクタ３２０の全体や、ストロボ基板４２３に作用することはない。
【０１５６】
以上の構成によって、ストロボ基板４２３の電気接点４２８と端子部３２１ａとが適正な接触圧で接触しつつ、ストロボ基板４２３は、コネクタ３２０に対して高い位置決め精度で位置決めができる。
【０１５７】
電池収納部２００に電池２０１が挿入されているときには、位置決めリブ３２３の当接面３２３ａと、前述の図２（ｄ）で図示した凹部２００ｃの第１の面２００ｃ１との間には、わずかな隙間ができる。電池収納部２００から電池２０１を排出すると、当接面３２３ａが第１の面２００ｃ１に当接する。
【０１５８】
また、前述の第１実施形態と同様に、電池収納部２００に電池２０１が挿入されると、コネクタ収納部２００ａに形成される係合爪部２００ｂ先端下面がコネクタハウジング３２２の第１の当接部３２４の当接面３２４ａに当接する。したがって、電池収納部２００への電池２０１の挿抜によって、コネクタ３２０は図９中のＹ方向にわずかに移動する。
【０１５９】
なお、本実施形態においても、第１の位置決め面３２３ｂまたは第２の位置決め面３２３ｃの面積よりも、第１の当接部３２４の当接面３２４ａの面積が大きくなるように、第１の当接部３２４を形成している。したがって、電池収納部２００に電池２０１が挿入されると、第１の当接部３２４の当接面３２４ａが電池２０１の挿入方向から作用する応力を大きな面積で適切に受けることが出来る。
【０１６０】
そして、コネクタハウジング３２２に一体的に形成されている位置決めリブ３２３は、コネクタ３２０の側面３２２ｆの寸法に対して出来るだけ小さい寸法で形成されている。したがって、面公差の影響が抑制されるため、コネクタ３２０は電池収納部２００に対して高い位置決め精度で位置決めができる。
【０１６１】
以上説明したように、本実施形態のコネクタ３２０も、カメラ１００におけるコネクタ３２０の位置決め精度を向上させつつ、コネクタ３２０に作用する応力を適切に受けることが出来る。
【０１６２】
また、本実施形他のコネクタ３２０はカメラ１００の内部へと２つの系統に分けて電力を供給した場合であっても、電気的な損失を抑制することが出来る。この構成によって、コネクタ３２０の上方にてフレキシブル基板４２０とストロボ基板４２３とを重ねて配置出来るので、デジタルカメラ１００を小型化することも出来る。
【０１６３】
なお、本実施形態では、コネクタ３２０と電気的に接続させる基板を、ストロボ基板４２３とフレキシブル基板４２０とするような構成であるがこれに限定されるものではない。例えば、上述した基板以外とコネクタ３２０とを接続させるような構成であっても良い。
【０１６４】
以上、本発明の好ましい実施形態について説明したが、本発明はこれらの実施形態に限定されず、その要旨の範囲内で種々の変形および変更が可能である。
【０１６５】
例えば、前述の実施形態において、コネクタの端子部と電気的に接続する基板はストロボ基板やフレキシブル基板であるが、その他の基板と接続されるような構成であっても良い。
【０１６６】
また、前述の実施形態では、コネクタハウジングが直方体であるような構成について説明したがこれに限定されるものではない。電池収納部の形状に合わせてコネクタの形状を変更しても良い。
【０１６７】
この場合、コネクタの、導電部材が配置されている方向と略平行な向きに、電池収納部と当接する当接部を形成する。そして、位置決めリブの位置決め面のうちの何れの面の面積よりも、当該当接部の当接面の面積が大きくなるように、当接部を形成する。
【符号の説明】
【０１６８】
１００  デジタルカメラ（電子機器）
２０２ｃ  凹部（嵌合部）
３００、３１０、３２０  コネクタ
３０１、３１１、３２１  導電部材
３０１ａ、３１１ａ、３２１ａ  端子部（第２の端子部）
３０１ｃ、３１１ｃ、３２１ｃ  端子部（第１の端子部）
３０１ｄ、３１１ｄ、３２１ｄ  固定部
３０２、３１２、３２２  コネクタハウジング
３０２ｄ、３１１ｄ、３２１ｄ  第１の面
３０２ｅ、３１２ｅ、３２２ｅ  第２の面
３０３、３１３、３２３  位置決めリブ（位置決め部）
３０４、３１４、第１の当接部  
３２１ｂ  端子部（第３の端子部）
３２４  当接部
４０３、４１３、４２３  ストロボ基板（基板）
４１８、４２８  電気接点
【図１】
2015095372.tif 000003
【図２】
2015095372.tif 000004
【図３】
2015095372.tif 000005
【図４】
2015095372.tif 000006
【図５】
2015095372.tif 000007
【図６】
2015095372.tif 000008
【図７】
2015095372.tif 000009
【図８】
2015095372.tif 000010
【図９】
2015095372.tif 000011